(57)【特許請求の範囲】
【請求項１】
傾斜姿勢又は水平姿勢に配された太陽電池パネル上に仮設置し、作業者がその上に乗る足踏み部材に装着される足踏み部材用緩衝部材であり、
前記足踏み部材と前記太陽電池パネルとの間に介在することで、前記足踏み部材を、前記太陽電池パネルから浮き上がらせた状態とする複数の緩衝片を含み、
前記複数の緩衝片が、連結部材を介して連結されていることを特徴とする足踏み部材用緩衝部材。
【請求項２】
前記緩衝片は、前記足踏み部材の幅方向の過半を覆う長さを有することを特徴とする請求項１に記載の足踏み部材用緩衝部材。
【請求項３】
足踏み部材は、平行に配された脚柱と、当該脚柱の間に設けられた複数の踏み桟を有する梯子であり、緩衝片の長さは踏み桟の長さに相当する長さ以上であることを特徴とする請求項１または２項に記載の足踏み部材用緩衝部材。
【請求項４】
緩衝片を足踏み部材に着脱自在に取り付ける取り付け手段を有することを特徴とする請求項１乃至３のいずれか１項に記載の足踏み部材用緩衝部材。
【請求項５】
緩衝片は袋状であって内部に流体を充填可能であり、且つ内部から前記流体を排出可能であり、内部に流体を充填して体積を増大させることが可能であることを特徴とする請求項１乃至４のいずれか１項に記載の足踏み部材用緩衝部材。
【請求項６】
連結部材の長さを調整する調整部を有していることを特徴とする請求項１乃至５のいずれか１項に記載の足踏み部材用緩衝部材。
【請求項７】
平行に配された脚柱と、当該脚柱の間に設けられた複数の踏み桟を有する梯子において、請求項１乃至６のいずれか１項に記載の足踏み部材用緩衝部材が取り付けられていることを特徴とする梯子。
【請求項８】
脚柱の中間部分にヒンジ部を有し、ヒンジ部を曲げて全体を屈曲形状とすることが可能であることを特徴とする請求項７に記載の梯子。
【発明の詳細な説明】
【技術分野】
【０００１】
本発明は、例えば屋外設置型の太陽光発電システムのメンテナンスや、太陽光発電システムを新規に構築する際の足場として使用される梯子に関するものである。さらに本発明は、梯子等の足踏み部材に装着される足踏み部材用緩衝部材に関するものである。
【背景技術】
【０００２】
休耕田や、閉鎖したゴルフ場、廃校のグランド、工場跡地、山林等の空き地を有効利用する方策として、メガソーラシステムが注目されている。
メガソーラシステムは、大規模な屋外設置型の太陽光発電システムであり、地面に傾斜架台を設置し、その上に多数の太陽電池パネルを並べて発電を行わしめるものである。
特許文献１には、屋外設置型の太陽光発電システム及びそれに使用される傾斜架台が開示されている。
また一部に緩衝部材が設けられた伸縮梯子が特許文献２に開示されている。
【先行技術文献】
【特許文献】
【０００３】
【特許文献１】特開２０１３−２２２７１１号公報
【特許文献２】実用新案登録第３０２１４９８号公報
【発明の概要】
【発明が解決しようとする課題】
【０００４】
屋外設置型の太陽光発電システムにおいても、定期的なメンテナンスや突発的な修理が必要である。
例えば、鳥獣のフンによって太陽電池パネルが汚れることがあり、太陽電池パネルの表面を清掃する場合がある。また一部の太陽電池パネルが破損し、新たな太陽電池パネルに取り替えることもある。
【０００５】
この様な場合には、作業者が傾斜架台の上に乗る必要がある。
しかしながら太陽電池パネルの表面は、透光性を有する必要から、ガラスで覆われていることが多い。そのため作業者が直接太陽電池パネルの上に乗ると、表面のガラスが破損したり、汚れてしまう懸念がある。
そこで現実の作業現場においては、太陽電池パネルの表面に踏み板を置き、その上に作業者が乗って所定の作業を行っている。
ここで本発明者らは、踏み板の代わりに梯子を使用する方策を思いついた。梯子は平行に配された脚柱と、脚柱の間に設けられた複数の踏み桟によって構成されるものであり、作業者が乗ることができる部分が踏み桟に限られる不便はあるが、踏み桟同士の間に空間があるから、太陽電池パネルを観察したり、メンテナンス作業を行いやすいという利点がある。
【０００６】
しかしながら、踏み板の代わりに梯子を使用すると、発明者らが予期しなかった問題が生じた。
即ち踏み板は、太陽電池パネルに対して面接触するのに対し、梯子は太陽電池パネルに対して線接触する。そのため上に乗った作業者の重量が、局所的に太陽電池パネルに掛かり、太陽電池パネルを破損してしまう懸念があった。
本発明は上記した問題点に注目し、太陽電池パネルに掛かる局所的な荷重を分散させ、太陽電池パネルを傷つけない、足踏み部材としての梯子を開発することを課題とするものである。また本発明は、梯子等の足踏み部材に装着し、太陽電池パネルを保護する足踏み部材用緩衝部材を開発することを課題とするものである。
【課題を解決するための手段】
【０００７】
上記した課題を解決するための態様は、傾斜姿勢又は水平姿勢に配された太陽電池パネル上に仮設置し、作業者がその上に乗る足踏み部材に装着される足踏み部材用緩衝部材であり、前記足踏み部材と前記太陽電池パネルとの間に介在することで、前記足踏み部材を、前記太陽電池パネルから浮き上がらせた状態とする、単数又は複数の緩衝片を含む足踏み部材用緩衝部材である。
【０００８】
本態様の足踏み部材用緩衝部材を使用すると、太陽電池パネル上にある全ての脚柱及び踏み桟が、単数または複数の緩衝片によって太陽電池パネルから浮き上がった状態となる。そのため足踏み部材が太陽電池に直接触れにくい。
また作業者の体重が適度に分散され、局所的な荷重が太陽電池パネルに掛からない。
複数の緩衝片を有する場合は緩衝片を間隔を開けて取り付けることが望ましい。
【０００９】
前記緩衝片は、前記足踏み部材の幅方向の過半を覆う長さを有することが望ましい。
【００１０】
本態様の足踏み部材用緩衝部材では、幅方向の過半を覆う長さを有する緩衝片を採用している。そのため足踏み部材を太陽電池パネル上に仮設置した際、足踏み部材が太陽電池に直接触れにくい。
【００１１】
足踏み部材は、平行に配された脚柱と、当該脚柱の間に設けられた複数の踏み桟を有する梯子であり、緩衝片の長さは踏み桟の長さに相当する長さ以上であることが望ましい。
【００１２】
上記した態様によると、緩衝片の長さが適切であり、作業者の体重を適度に分散することができる。
【００１３】
緩衝片を足踏み部材に着脱自在に取り付ける取り付け手段を有することが望ましい。
【００１４】
緩衝片は袋状であって内部に流体を充填可能であり、且つ内部から前記流体を排出可能であり、内部に流体を充填して体積を増大させることが可能であることが望ましい。
【００１５】
本態様によると、流体を排出することにより緩衝片の嵩を下げることができ、持ち運びに便利である。
【００１６】
前記緩衝片を複数有し、前記複数の緩衝片が、連結部材を介して連結されていることが望ましい。
【００１７】
連結部材の長さを調整する調整部を有していることが望ましい。
【００１８】
平行に配された脚柱と、当該脚柱の間に設けられた複数の踏み桟を有する梯子に、前記した足踏み部材用緩衝部材が取り付けられた梯子とすることが望ましい。
【００１９】
前記した梯子は、脚柱の中間部分にヒンジ部を有し、ヒンジ部を曲げて全体を屈曲形状とすることが可能であることが望ましい。
【００２０】
本態様によると、作業者が太陽電池パネルの上に登りやすい。
【発明の効果】
【００２１】
本発明の足踏み部材及び梯子は、作業者の体重に起因する太陽電池パネルに掛かっていた局所的な荷重を分散させ、太陽電池パネルを傷つけ難いという効果がある。また本発明の足踏み部材用緩衝部材を足踏み部材や梯子に装着して太陽電池パネルに置くと、太陽電池パネルに掛かっていた局所的な荷重が分散し、太陽電池パネルを傷つけ難い。
【図面の簡単な説明】
【００２２】
【図１】本発明の実施形態の梯子の斜視図である。
【図２】図１の梯子の分解斜視図である。
【図３】図１の梯子で採用されている足踏み部材用緩衝部材の斜視図であり、内部の空気を抜いて折り畳んだ状態を示す。
【図４】（ａ）は、図１の梯子の正面図であり、（ｂ）はその側面図である。
【図５】図１の実施形態の梯子を傾斜架台に仮置きした状態を示す斜視図である。
【図６】図１の実施形態の梯子を傾斜架台に仮置きした状態を示す側面図である。
【図７】（ａ）は本発明の他の実施形態の梯子の分解斜視図であり、（ｂ）はその側面図である。
【図８】（ａ）は図１の梯子で採用されている足踏み部材用緩衝部材の断面斜視図であり、（ｂ）乃至（ｄ）は、その変形例である。
【図９】本発明の他の実施形態の梯子の斜視図である。
【図１０】本発明のさらに他の実施形態の梯子板の分解斜視図である。
【図１１】本発明のさらに他の実施形態の梯子の分解斜視図である。
【図１２】（ａ）乃至（ｄ）は、本発明のさらに他の実施形態の梯子の斜視図である。
【発明を実施するための形態】
【００２３】
以下さらに本発明の実施形態について説明する。
図１に示す梯子１は、足踏み部材の一態様である。図１に示す梯子１は、図２の様に梯子本体２と、足踏み部材用緩衝部材３によって構成されている。
梯子本体２は、公知の梯子と同様に、平行に配された２条の脚柱５と、当該脚柱５の間に設けられた複数の踏み桟６を有している。
脚柱５は、アルミニウム等の角パイプや、断面形状がＨ型、溝型、Ｌ型等の押し出し材で作られている。
踏み桟６もアルミニウム等で作られており、断面形状は円、Ｈ型、溝型、Ｌ型等である。
【００２４】
梯子本体２は、特有の構成として、双方の脚柱５の中間部分にヒンジ部８があり、図４，５，６の様にヒンジ部８を曲げて全体を屈曲形状とすることができる。
ヒンジ部８が設けられた位置は、端部からの高さｈが後記する傾斜架台５０のテーブル部５５の低い側の端部の高さよりもやや高い位置である。
本実施形態では、使用時の姿勢を基準として、ヒンジ部８よりも下にＮ本の踏み桟６があり、ヒンジ部８よりも上にＭ本の踏み桟６がある。具体的にはヒンジ部８よりも下に４本の踏み桟６があり、ヒンジ部８よりも上に８本の踏み桟６がある。本実施形態では、ヒンジ部８よりも上にある踏み桟６の数Ｍは、ヒンジ部８よりも下にある踏み桟６の数Ｎよりも多い。
本実施形態では、梯子本体２のヒンジ部８の高さ以下の領域（高さｈまで）は、作業者が傾斜架台５０に登るための登はん部５１として機能し、ヒンジ部８の高さ以上の領域（Ｈ領域）は、踏み板部５２として機能する。登はん部５１の高さｈは、１ｍ程度である。また踏み板部５２の長さＨは、２ｍから３ｍ程度である。踏み板部５２は、伸縮可能であることが望ましい。
また梯子本体２の最も先端側の踏み桟６には、ロープ等の線状部材７が取り付けられている。線状部材７の長さは、３乃至６ｍ程度である。
【００２５】
足踏み部材用緩衝部材３は、複数の緩衝片１０が、紐等の連結部材１１で連結されたものである。本実施形態では、３個の緩衝片１０が、連結部材１１で連結されている。
緩衝片１０は、ゴムや可撓性を有する樹脂で作られた密閉された袋である。緩衝片１０にはタイヤの如くバルブ１２が設けられている（図１，２，３，８ａ）。そしてバルブ１２を介して緩衝片１０の内部に空気を充填することができる。図１，２，８ａは、緩衝片１０内に空気を充填して体積を増大させ、膨らませた状態を示している。
【００２６】
足踏み部材用緩衝部材３の各緩衝片１０は、内部に空気を充填した状態においては、やや長細い形状をしている。
空気を充填した状態における断面形状は、図８（ａ）の様な四角形である。各緩衝片１０の断面形状は任意であり、円形であってもよく、偏平形状であってもよい。
【００２７】
緩衝片１０の長さは梯子本体２（足踏み部材）の幅以上の長さであることが望ましい。本実施形態では、緩衝片１０の長さＬは、梯子本体２の幅Ｗよりもやや長い。緩衝片１０の長さＬは、梯子本体２の幅Ｗよりも１０％から３０％程度長いことが望ましい。
緩衝片１０の幅Ａは、梯子本体２の踏み桟６の幅Ｂよりも大きい。緩衝片１０の幅Ａは、梯子本体２の踏み桟６の幅Ｂに対して２倍以上であることが望ましく、さらに３倍以上であることが推奨される。
また緩衝片１０の幅Ａは、踏み桟６の中心間距離と同等であることが推奨される。具体的には、緩衝片１０の幅Ａは、踏み桟６の中心間距離の６０％から１３０％程度であることが望ましく、より推奨される範囲は、踏み桟６の中心間距離の８０％から１１０％程度である。
本実施形態では、踏み桟６の中心線と緩衝片１０の中心線を一致させて緩衝片１０が取り付けられている。
【００２８】
緩衝片１０から空気を抜くと、体積が著しく減少する。図３は、内部の空気を抜いて体積を小さくし、折り畳んだ状態を示している。本実施形態の足踏み部材用緩衝部材３は、緩衝片１０から空気を抜いた状態で運搬することができるので、嵩張らない。
【００２９】
各緩衝片１０には、それぞれ梯子本体２に緩衝片１０を固定するための取り付け手段１５が設けられている。本実施形態では、取り付け手段１５は紐であり、緩衝片１０の両端近傍に１組ずつ設けられている。
【００３０】
各緩衝片１０の側面部には、連結部材１１を収容する収容ポケット１７が設けられている。収容ポケット１７内には図示しないリールが内蔵されており、連結部材１１を巻き取ることができる。また連結部材１１を収容ポケット１７から繰り出すこともできる。収容ポケット１７は、連結部材１１の長さを調整する調整部として機能する。
即ち本実施形態の足踏み部材用緩衝部材３では、緩衝片１０同士が連結部材１１で連結されており、且つ緩衝片１０間の距離を調節する調整部を有している。
【００３１】
本実施形態の梯子１は、梯子本体２の一方の面に前記した足踏み部材用緩衝部材３が取り付けられたものである。
即ち本実施形態の梯子１では、梯子本体２のヒンジ部８よりも上の領域（踏み板部５２）に足踏み部材用緩衝部材３が取り付けられている。
足踏み部材用緩衝部材３は、梯子本体２の各踏み桟６の一方の面に、緩衝片１０を沿わせ、緩衝片１０に設けられた取り付け手段（紐）１５を、梯子本体２の脚柱５と踏み桟６の接続部分にくくり付けることによって梯子本体２に取り付けられている。
なお本実施形態では、踏み板部５２にある踏み桟６の数が緩衝片１０の数よりも多いので、緩衝片１０は、３本の踏み桟６に一本の割合で取り付けられている。
【００３２】
前記した様に、緩衝片１０は紐等の連結部材１１で連結されているが、連結部材１１の全長は、踏み桟６の３本間の間隔よりも長く、収容ポケット１７から適度の長さ連結部材１１が繰り出されて長さ調整がなされる。
【００３３】
次に本実施形態の梯子１の使用方法について説明する。
梯子１は、太陽電池パネル５３の修理やメンテナンスを行う際に使用される。
太陽電池パネル５３は、図５、図６に示す様な傾斜架台５０に取り付けられている。傾斜架台５０は、脚部５６とテーブル部５５を有している。テーブル部５５は脚部５６によって支持され、地面から離れた高さにある。またテーブル部５５は太陽光を受けやすいように傾斜している。
太陽電池パネル５３は、図５、図６に示す様に、傾斜架台５０のテーブル部５５に取り付けられている。
【００３４】
本実施形態の梯子１は、図５、図６に示す様に、梯子本体２のヒンジ部８の高さ以上の領域たる踏み板部５２をテーブル部５５に載せ、ヒンジ部８の高さ以下の領域たる登はん部５１をテーブル部５５からはみ出させて、梯子本体２の端部を地面に着地させる。
なお図６に示す様に、梯子１の先端に設けられたロープ等の線状部材７が、傾斜架台５０に括り付けられ、梯子１がずり落ちない様に固定されている。
梯子１は屈曲姿勢となって踏み板部５２がテーブル部５５に沿い、登はん部５１は地面と踏み板部５２を繋ぐ。
踏み板部５２の太陽電池パネル５３側の面には、足踏み部材用緩衝部材３が取り付けられているから、踏み板部５２は太陽電池パネル５３上にあるものの、金属の梯子本体２は太陽電池パネル５３とは接触せず、複数の緩衝片１０によって太陽電池パネル５３から浮き上がった状態となる。
【００３５】
作業者は、梯子１の登はん部５１を登り、踏み板部５２の上に立つか、四つ這い姿勢になるが、この時の作業者の手足は、梯子本体２の踏み桟６を踏んでいる。ここで本実施形態の梯子１では、踏み板部５２の各踏み桟６に、緩衝片１０が固定されているから、作業者の体重は、緩衝片１０で分散されて太陽電池パネル５３を押すこととなる。また緩衝片１０は比較的大面積で太陽電池パネル５３と接している。そのため太陽電池パネル５３に局所的な荷重が掛からず、太陽電池パネル５３は傷つかない。
【００３６】
以上説明した実施形態では、緩衝片１０の長さＬは、梯子本体２の幅Ｗよりもやや長く設定した。この構成によると、梯子本体２の脚柱５にも緩衝片１０があるから、脚柱５が太陽電池パネル５３に触れることを防止することができ、推奨される構成である。
【００３７】
しかしながら本発明は、この構成に限定されるものではなく、図７の様に梯子本体２の踏み桟６部分だけに緩衝片１０を取り付けてもよい。即ち緩衝片１０の長さは踏み桟６部分に相当する長さであってもよい。ただしこの場合には、図７（ｂ）の様に、緩衝片１０の外側の部分が、脚柱５よりも外側に膨出する様に構成し、脚柱５が直接、太陽電池パネル５３と接しない様にすることが望ましい。
【００３８】
また上記した実施形態では、緩衝片１０に空気を注入して膨らませたが、他の流体を注入してもよい。例えば水等の液体を充填して緩衝片１０の体積を増大させてもよい。
また緩衝片１０は、図８（ｂ）の様に中実であってもよい。例えば、発泡スチロールや発泡ウレタン等のクッション性を有する樹脂で緩衝片１０を成形してもよい。
また図８（ｃ）の様に、袋状の表皮２０を作り、その中に固体を充填してもよい。例えば、樹脂ビーズや綿等を表皮２０で包み込んだものであってもよい。
さらに図８（ｃ）の様に、緩衝片１０は、袋状の表皮２０で成形物２１を包んだものであってもよい。
【００３９】
上記した実施形態では、各緩衝片１０は、いずれもいわゆる一本物であり、連続した固体形状であるが、図９に示す足踏み部材用緩衝部材２５の様に、各緩衝片３０が分断された形状であってもよい。例えば、図９に示す緩衝片３０の様に空気が充填された袋３２が帯状に繋がったものであってもよい。
【００４０】
以上説明し実施形態では、足踏み部材の一態様として通常の梯子１を例示したが、図１０に示す梯子板２６であってもよい。梯子板２６は、板状の部材に足を掛けるための横桟５７が設けられ、実質的に梯子として機能するものである。
図１０に示す梯子板２６は、ヒンジ部８を有し、ヒンジ部８の高さ以上の領域たる踏み板部５２をテーブル部５５に載せ、ヒンジ部８の高さ以下の領域たる登はん部５１をテーブル部５５からはみ出させて、梯子本体２の端部を地面に着地させる。
本実施形態では、登はん部５１に横桟５７が設けられており、踏み板部５２及び登はん部５１が階段的な機能を発揮する。
【００４１】
また図１１に示す足踏み部材６０の様に小型の緩衝片６１を梯子や板に取り付けたものであってもよい。
【００４２】
上記した梯子１や足踏み部材用緩衝部材３等は、いずれも緩衝片１０，３０，６１を複数有している。緩衝片１０，３０，６１を複数有する足踏み部材用緩衝部材は、作業者の荷重を広く分散するることができ、推奨される。
また上記した実施形態の１は、緩衝片１０，３０，６１は踏み桟６が存在する部位に取り付けられている。
本態様によると、作業者が乗る位置の真下に緩衝片が取り付けられるので、荷重を分散させる効率が高い。
【００４３】
しかしながら本発明は、緩衝片１０，３０，３１の数や位置を限定するものではなく、図１２に示す足踏み部材用緩衝部材７０，７１，７２，７３の様に、比較的大きな緩衝片７５，７６，７７，７８を一個だけ有するものであってもよい。
図１２（ａ）に示す足踏み部材用緩衝部材７０は、略正方形であって大面積の緩衝片７５を１個だけ有している。緩衝片７５は、複数の踏み桟６に跨がる全長を有している。また緩衝片７５の幅は、梯子本体２の幅に比べて２倍以上大きい。
緩衝片７５は、ゴム等で作られており、緩衝片７５は、ゴムや可撓性を有する樹脂で作られた密閉された袋であり、バルブ１２が設けられており、バルブ１２を介して緩衝片１０の内部に空気を充填することができる。
【００４４】
図１２（ｂ）に示す足踏み部材用緩衝部材７１は、長方形であって複数の踏み桟６に跨がる全長を有する緩衝片７６を採用している。緩衝片７６の幅は、梯子本体２の幅と同等かやや大きい。
緩衝片７６もバルブ１２を介して内部に空気を充填して膨らませることができる。
【００４５】
図１２（ｃ）に示す足踏み部材用緩衝部材７２は、円形であって複数の踏み桟６に跨がる全長を有する緩衝片７７を採用している。緩衝片７７もバルブ１２を介して内部に空気を充填することができる。
【００４６】
図１２（ｄ）に示す足踏み部材用緩衝部材７２は、タイヤチャーブや浮袋のごとく、環状に繋がった管によって構成された緩衝片７８を採用している。緩衝片７８はタイヤチャーブを流用することもできる。
【００４７】
上記した実施形態の梯子（足踏み部材）１は、傾斜姿勢又は水平姿勢に配された太陽電池パネル５３上に仮設置し、作業者がその上に乗る足踏み部材１，６０であって、足踏み部材１，６０の幅方向の過半を覆う長さを有する緩衝片１０，３０を複数備え、前記複数の緩衝片１０，３０が間隔を開けて取り付けられる足踏み部材である。
【００４８】
また上記した実施形態の梯子（足踏み部材）１は、平行に配された脚柱５と、当該脚柱５の間に設けられた複数の踏み桟６を有する梯子１であって、傾斜姿勢又は水平姿勢に配された太陽電池パネル５６上に仮設置し、作業者がその上に乗る足踏み部材として使用される梯子１において、太陽電池パネル５６側に接する面に、複数の緩衝片１０，３０が設けられており、梯子１を太陽電池パネル５６上に仮設置したとき、太陽電池パネル５６上にある全ての脚柱５及び踏み桟６が、前記複数の緩衝片１０，３０によって太陽電池パネル５６から浮き上がった状態となる梯子１である。
【００４９】
上記した実施形態の梯子（足踏み部材）１は、別部材に固定するための線状部材７を有するので、梯子１を固定しやすい。
【００５０】
以上説明した実施形態では、傾斜架台５０に太陽電池パネル５３を設置した太陽光発電システムを例に説明したが、本発明の梯子１や足踏み部材用緩衝部材３等は、太陽電池パネル５３を水平姿勢に設置する太陽光発電システムに適用することもできる。
【００５１】
以上説明した実施形態では、梯子１の踏み板部５２の踏み桟６の３本に１本の割合で、緩衝片１０を取り付けたが、全ての踏み桟６に緩衝片１０を取り付けてもよい。踏み板部５２の先端にある踏み桟６と、最もヒンジ側にある踏み桟６には緩衝片１０を取り付けることが望ましい。
また登はん部５１の踏み桟６に緩衝片１０が取り付けられていてもよい。
【００５２】
以上説明した実施形態では、梯子本体２に緩衝片１０を固定するための取り付け手段１５として紐を採用したが、針金でもよい。またバンドやベルトで緩衝片１０を梯子本体２に固定してもよい。
【００５３】
本実施形態で採用した梯子本体２は、足踏み部材用緩衝部材３を外して通常の梯子としても利用できる。
【符号の説明】
【００５４】
１  梯子（足踏み部材）
２  梯子本体
３  足踏み部材用緩衝部材
５  脚柱
６  踏み桟
８  ヒンジ部
１０，３０，６１  緩衝片
１１  連結部材
１７  収容ポケット
２０  表皮
２５  足踏み部材用緩衝部材
２６  足踏み部材
５０  傾斜架台
５１  登はん部
５２  踏み板部
５３  太陽電池パネル
５５  テーブル部
６０  足踏み部材
【図１】
0006762130.tif 000002
【図２】
0006762130.tif 000003
【図３】
0006762130.tif 000004
【図４】
0006762130.tif 000005
【図５】
0006762130.tif 000006
【図６】
0006762130.tif 000007
【図７】
0006762130.tif 000008
【図８】
0006762130.tif 000009
【図９】
0006762130.tif 000010
【図１０】
0006762130.tif 000011
【図１１】
0006762130.tif 000012
【図１２】
0006762130.tif 000013